(57)【特許請求の範囲】
【請求項１】
温調空気の吹出口に配設されて吹出方向を上下に変化させ、水平方向が複数に分割されている水平フラップを備えている空気調和機において、
前記水平フラップを回動可能に支持する軸部構造が、前記水平フラップの裏面端部近傍位置から垂直方向に突設されるとともに水平方向の回動用軸穴を備えている軸支持部と、鍔部を挟んで軸方向両側に前記水平フラップを回動可能に支持するための軸部を有するとともに前記軸部の表面より突出して弾性変形可能な係止爪を備えている自己潤滑性樹脂よりなる軸部形成部材と、筐体適所に連結されて延在する支持用軸穴を備えている前記軸部形成部材と別体の支持部材とを具備し、
水平方向に分割された前記水平フラップの隣接部で、前記支持用軸穴に前記係止爪を乗り越えるまで前記軸部を挿入して、前記軸支持部のいずれか一方と前記鍔部との間で前記軸部を前記筐体適所に支持させ、かつ、互いに対向する前記回動用軸穴にそれぞれ前記軸部を挿入して前記水平フラップを回動可能に支持させたことを特徴とする空気調和機。
【発明の詳細な説明】
【技術分野】
【０００１】
本発明は、室内の空気調和を行う空気調和機に係り、特に、水平フラップを備えた空気調和機に関する。
【背景技術】
【０００２】
従来、空気調和機（室内機ユニット）に設けられた温調空気の吹出し口には、室内に吹出す温調空気の吹出方向を上下に変化させる水平フラップを備えている。この水平フラップは、吹出方向を上下に風向調整するため、モータを駆動源として水平方向の軸を中心に回動する機構を有している。
このような水平フラップには、たとえば下記の特許文献１に記載されているように、水平方向を複数に分割したものがある。
【０００３】
図４に示す従来例は、水平方向を複数に分割した水平フラップ２０において、モータを備えていない端部側の軸部構造である。
水平フラップ２０の両端部近傍には、水平フラップ２０の裏面（空気調和機の内側となる面）から略垂直に突出した略半円形板状の軸形成部２１が設けられている。この軸形成部２１には、水平方向外向きに突出する軸部２２が設けられている。なお、この場合の外向きは、水平フラップ２０の中心方向とは逆向きであり、水平方向に隣接する水平フラップ２０や、空気調和機の筐体支持部側のことである。
【０００４】
上述した軸部２２は、カラー２３を介して支持部材２４の貫通孔２４ａに挿入されることにより、筐体側端部に設置されたモータ（不図示）の駆動力により回動可能に支持されている。この支持部材２４は、空気調和機の筐体側適所に連結されて突出している不動の部材である。
このように構成された軸部構造において、水平フラップ２０の回動時に摺動部となる部分には、従来から潤滑性のある樹脂部品のカラー２３を介在させている。この場合、一般的には軸形成部２１及び軸部２２とともに一体成形された水平フラップ２０と支持部材２４にはＡＢＳ樹脂が使用され、カラー２３にはポリアセタール（ＰＯＭ）樹脂が使用されている。
なお、このような従来構造では、隣接する水平フラップ２０においても専用の構成部品（カラー２３及び支持部材２４）が必要となる。
【先行技術文献】
【特許文献】
【０００５】
【特許文献１】特開２００７−１３２５７８号公報
【発明の概要】
【発明が解決しようとする課題】
【０００６】
ところで、上述した水平フラップ２０の軸部構造によれば、水平フラップ２０を左右に分割して構成する場合、カラー２３や支持部材２４を水平フラップ２０の数だけ用意する必要があり、従って、部品点数が増大するという問題を有している。
しかも、軸部構造の構成部品を共通化する場合には、軸部２２とカラー２３及びカラー２３と貫通孔２４ａというように、２段階にテーパ形状を嵌合させるという非常に困難な嵌合調整が必要となる。
【０００７】
さらに、多くの部品を取り付ける軸部構造は吹出し口の流路を狭めるため、風路抵抗が増大する原因になる不都合もあった。
本発明は、上記の事情に鑑みてなされたものであり、その目的とするところは、左右に分割された水平フラップを備えた空気調和機において、部品点数を低減して吹出し口の構造を簡素化できる水平フラップの軸部構造を備えた空気調和機を提供することにある。
【課題を解決するための手段】
【０００８】
本発明は、上記の課題を解決するため、下記の手段を採用した。
本発明に係る空気調和機は、温調空気の吹出口に配設されて吹出方向を上下に変化させ、水平方向が複数に分割されている水平フラップを備えている空気調和機において、前記水平フラップを回動可能に支持する軸部構造が、前記水平フラップの裏面端部近傍位置から垂直方向に突設されるとともに水平方向の回動用軸穴を備えている軸支持部と、鍔部を挟んで軸方向両側に前記水平フラップを回動可能に支持するための軸部を有するとともに前記軸部の表面より突出して弾性変形可能な係止爪を備えている自己潤滑性樹脂よりなる軸部形成部材と、筐体適所に連結されて延在する支持用軸穴を備えている前記軸部形成部材と別体の支持部材とを具備し、水平方向に分割された前記水平フラップの隣接部で、前記支持軸穴に前記係止爪を乗り越えるまで前記軸部を挿入して、前記軸支持部のいずれか一方と前記鍔部との間で前記軸部を前記筐体適所に支持させ、かつ、互いに対向する前記回動用軸穴にそれぞれ前記軸部を挿入して前記水平フラップを回動可能に支持させたことを特徴とするものである。
【０００９】
このような空気調和機によれば、水平フラップを回動可能に支持する軸部構造が、水平フラップの裏面端部近傍位置から垂直方向に突設されるとともに水平方向の回動用軸穴を備えている軸支持部と、鍔部を挟んで軸方向両側に水平フラップを回動可能に支持するための軸部を有するとともに軸部の表面より突出して弾性変形可能な係止爪を備えている自己潤滑性樹脂よりなる軸部形成部材と、筐体適所に連結されて延在する支持用軸穴を備えている軸部形成部材と別体の支持部材とを具備し、水平方向に分割された前記水平フラップの隣接部で、支持軸穴に係止爪を乗り越えるまで軸部を挿入して、軸支持部のいずれか一方と鍔部との間で軸部を筐体適所に支持させ、かつ、互いに対向する回動用軸穴にそれぞれ軸部を挿入して水平フラップを回動可能に支持させたので、一つの軸部形成部材により隣接する二つの水平フラップを回動可能に支持することができる。
【００１０】
すなわち、水平方向が複数に分割された水平フラップにおいては、隣接する水平フラップが一つの軸部材を共用するとともに、軸部自体を自己潤滑性の高い樹脂にしてカラーを不要にしたので、部品点数の低減により吹出口の構造を簡素化することができる。
この場合の軸部形成部材は、挿入時に固定用軸穴を乗り越えてから軸方向へ位置ずれするのを阻止するため、軸部表面より突出して弾性変形可能な係止爪を備えていることが望ましい。
【発明の効果】
【００１１】
上述した本発明によれば、水平方向が複数に分割された水平フラップを備えた空気調和機において、水平フラップを回動可能に支持する軸を隣接する左右で共同利用できるようになり、しかも、従来構造で使用していたカラーも不要になるので、部品点数の低減により吹出口の構造を簡素化することができる。このような水平フラップの軸部構造は、吹出口の流路面積を増し、吹出抵抗を低減することが可能になる。
また、軸部の挿入関係は、回動用軸穴に軸部を挿入するだけでよく、従って、部品間の嵌合調整も容易になる。
【図面の簡単な説明】
【００１２】
【図１】本発明に係る空気調和機の一実施形態として、水平フラップの軸部周辺構造を示す要部の拡大斜視図である。
【図２】水平フラップの軸部構造を示す分解斜視図である。
【図３】空気調和機（室内機ユニット）の概要を示す外観斜視図である。
【図４】水平フラップの軸部構造について従来構造例を示す図で、（ａ）は分解斜視図、（ｂ）は組立状態の断面図である。
【発明を実施するための形態】
【００１３】
以下、本発明に係る空気調和機の一実施形態を図面に基づいて説明する。
図３は、本発明の一実施形態に係る空気調和機（室内機ユニット）として、壁掛け型の空気調和機１を例示した斜視図である。
空気調和機１は、ベース本体２と、該ベース本体２にその前方部位を上下、左右、及び前面から被うように取り付けられたフロントカバー３と、該フロントカバー３の前面に取り付けられたフロントパネル４とから構成された横長長方形状の筐体５を備えている。
【００１４】
筐体５を構成しているフロントカバー３の前面及び上面は、その略全面が図示しない格子状の桟となっている。この桟は、空調する室内の空気を取り込む空気吸込口を形成するとともに、フィルタガイドを兼ねるように構成されている。
フロントカバー３の上面には、吸込グリル（不図示）が設置されており、下面の前方部位には、略全幅にわたり温調された空調空気を室内に吹出すための吹出口６が開口されている。
【００１５】
この吹出口６には、風向を左右方向に変更する複数枚のルーバ７と、風向を上下方向に変更するとともに、空調空気の吹出口６を閉鎖可能な左右に２分割されている上下各２枚の水平フラップ１０が設けられている。このルーバ７及び水平フラップ１０は、図示省略のモータを駆動源にして、それぞれ独立して回動するように構成されている。
なお、図示の水平フラップ１０は、左右に２分割された上下各２枚（合計４枚）とされるが、たとえば３分割にするなど限定されることはない。
【００１６】
上述したように、温調した空調空気の吹出口６に配設されて吹出方向を上下に変化させるフラップ１０を備え、このフラップ１０が水平方向を複数に分割されている空気調和機１においては、水平フラップ１０を回動可能に支持する軸部構造が、図１及び図２に示すように構成されている。
【００１７】
すなわち、水平フラップ１０の軸部構造は、水平フラップ１０の裏面に突設された軸支持部１１と、鍔部１２を挟んで軸方向両側に軸部１３を有する軸部形成部材１４と、筐体５の適所に連結されて延在する支持部材１５とを具備して構成される。
この場合の軸部構造は、筐体５の左右端部付近に設置される駆動用のモータ（不図示）との連結部ではなく、水平方向を複数に分割された水平フラップ１０が隣接する端部側に関するものである。従って、以下の説明では、隣接する左右一対の水平フラップ１０、軸支持部１１及び軸部１３について、必要に応じて左側を水平フラップ１０Ｌ、軸支持部１１Ｌ、軸部１３Ｌとし、右側を水平フラップ１０Ｒ、軸支持部１１Ｒ、軸部１３Ｒとして区別する。
【００１８】
軸支持部１１は、各フラップ１０の裏面で端部近傍となる位置から、垂直方向に突設されている略半円形の板状部材である。この軸支持部１１は、フラップ１０と一体に成形された樹脂成形部品（たとえば、ＡＢＳ樹脂製等）であり、軸部形成部材１４の軸部１３を挿入して嵌合させるため、水平方向に貫通する回動用軸穴１１ａが設けられている。
なお、この場合の水平方向は、水平フラップ１０の延在方向であり、この延在方向と直交する方向が垂直方向となる。
【００１９】
軸部形成部材１４は、たとえばポリアセタール（ＰＯＭ）等の自己潤滑性樹脂よりなる一体成形部品である。このため、回動用軸穴１１ａに挿入された軸部１３は、その自己潤滑性により、異種の樹脂摺動面に対してスムーズな摺動が可能となる。
軸部形成部材１４の鍔部１２は、左右に分割された水平フラップ１０Ｌ，１０Ｒの軸支持部１１Ｌ，１１Ｒに対応するように、軸部１３を左右の軸部１３Ｌ，１３Ｒに分割して相互移動を阻止するための仕切りとなる部材である。
【００２０】
図示の構成例では、左側となる軸部１３Ｌの表面に、係止爪１４ａが設けられている。この係止爪１４ａは、支持部材１５の挿入時において、固定用軸穴１５ａを乗り越えてから軸方向へ位置ずれするのを阻止する部分であり、軸部１３Ｌの表面より突出した状態から軸中心方向となる内側に弾性変形可能となっている。
なお、図中の符号１４ｂは鍔部１２の欠損部であり、係止爪１４ａを一体成形するために必要となったものであるから、軸部形成部材１４の製造方法によっては不要となる。
【００２１】
支持部材１５は、筐体５の適所に連結されて延在するアーム状の樹脂成形部材（たとえば、ＡＢＳ樹脂製等）であり、その先端部近傍には、水平方向に貫通する支持用軸穴１５ａが設けられている。この支持用軸穴１５ａには、上述した軸部形成部材１４の軸部１３Ｌが挿入されて嵌合する。
軸部１３Ｌの挿入時には、最初に係止爪１４ａが弾性変形して支持用軸穴１５ａを通り抜けると、係止爪１４ａが復帰して軸表面から突出する。この結果、支持部材１５は、突出した係止爪１４ａとの係合により軸方向の位置ずれが阻止され、所定の挿入位置に保持される。
【００２２】
そして、水平フラップ１０を回動可能に支持する軸部構造では、固定用軸穴１５ａに軸部１３Ｌを挿入することにより、軸部形成部材１４の軸支持部１１Ｌと鍔部１２との間が筐体５の適所に支持部材１５を介して支持される。
なお、図示の構成例では、固定用軸穴１５ａに軸部１３Ｌを挿入したが、軸部１３Ｒを挿入して軸部形成部材１４の軸支持部１１Ｒと鍔部１２との間を筐体５に支持させてもよい。
【００２３】
また、水平方向に分割された水平フラップ１０Ｌ、１０Ｒの隣接部において、互いに対向する軸支持部１１Ｌ，１１Ｒの回動用軸穴１１ａにそれぞれ軸部１３Ｌ，１３Ｒを挿入することにより、水平フラップ１０Ｌ，１０Ｒが回動可能に支持される。
この場合、水平フラップ１０、軸部形成部材１４及び支持部材１５の組立順序については、特に限定されることはない。
【００２４】
このように構成された空気調和機１は、一つの軸部形成部材１４を用いて隣接する二つの水平フラップ１０Ｌ，１０Ｒを回動可能に支持することができる。
すなわち、水平方向を複数に分割した水平フラップ１０Ｌ，１０Ｒは、隣接する水平フラップ１０Ｌ，１０Ｒが一つの軸部形成部材１４を共用し、軸部形成部材１４の軸部１３Ｌ，１３Ｒを回動用の軸として使用する。
【００２５】
さらに、軸部１３を自己潤滑性の高い樹脂にしたので、回動用軸穴１１ａ及び固定用軸穴１５ａの樹脂と異なる樹脂材料によって摺動面が形成されることとなる。このため、図４に示す従来構造のように、異なる樹脂材料のカラー２３をわざわざ設けて介在させる必要はなくなるので、部品点数の低減により吹出口６の構造を簡素化することができる。
水平フラップ１０Ｌ、１０Ｒを除く具体的な部品点数は、図４に示す従来構造の場合、二組のカラー２３及び支持部材２４が必要であるため合計４点であるから、軸部形成部材１４及び支持部材１５の２点が必要な本実施形態は半減したことになる。
【００２６】
すなわち、本実施形態の空気調和機１は、水平フラップ１０Ｌ，１０Ｒを回動可能に支持する軸部構造において、水平フラップ１０Ｌ，１０Ｒの軸部１３Ｌ，１３Ｒが自己潤滑性の高い軸部形成部材１４を用いて形成され、この軸部形成部材１４が隣接する左右の水平フラップ１０Ｌ，１０Ｒに共通の部品として使用されるので、カラー２３をなくして部品点数を低減できる。このような部品点数の低減により、吹出口６の構造を簡素化することができる。
そして、吹出口６の構造を簡素化できる水平フラップ１０の軸部構造は、吹出口６の流路面積を増加させることにより、吹出抵抗を低減することができる。このような吹出抵抗の低減は、送風用ファンの消費電力低減や運転騒音の低減に有効である。
【００２７】
また、軸部１３Ｌ，１３Ｒの挿入関係は、回動用軸穴１１ａに軸部１３Ｌ，１３Ｒを挿入するだけでよいから、部品間の嵌合調整についても、従来の２段階にわたる嵌合調整と比較して容易になる。
なお、本発明は上述した実施形態に限定されることはなく、その要旨を逸脱しない範囲内において適宜変更することができる。
【符号の説明】
【００２８】
１    空気調和機（室内機ユニット）
３    フロントカバー
４    フロントパネル
５    筐体
６    吹出口
７    ルーバ
１０，１０Ｌ，１０Ｒ    水平フラップ
１１，１１Ｌ，１１Ｒ    軸支持部
１１ａ    回転用軸穴
１２    鍔部
１３，１３Ｌ，１３Ｒ    軸部
１４    軸部形成部材
１５    支持部材
１５ａ    固定用軸穴
【図１】
0005631123.tif 000002
【図２】
0005631123.tif 000003
【図３】
0005631123.tif 000004
【図４】
0005631123.tif 000005